【手続補正書】
【提出日】平成20年11月12日(2008.11.12)
【手続補正１】
【補正対象書類名】特許請求の範囲
【補正対象項目名】全文
【補正方法】変更
【補正の内容】
【特許請求の範囲】
【請求項１】
表示機器に対して、映像データの伝送が可能な映像データ伝送部及びファイルデータの伝送が可能なファイルデータ伝送部とを備え、電池で駆動される画像再生装置において、
記憶部に格納された画像データを、前記表示機器へ映像データとして伝送するのに必要な第１の電力量と、前記表示機器へファイルデータとして伝送するのに必要な第２の電力量とを夫々算出する算出手段と、
前記電池の残量を取得する取得手段と、
前記取得手段で取得した電池残量と、前記算出手段で算出された前記第１の電力量及び前記第２の電力量とを比較する比較手段と、
前記比較手段の比較により求められた、前記電池残量、前記第１の電力量、前記第２の電力量の大小関係を用いて、前記画像データを前記表示機器へ映像データとして伝送するか、ファイルデータとして伝送するかを決定する決定手段と、
を備えることを特徴とする画像再生装置。
【請求項２】
前記決定手段は、前記比較手段による比較結果において前記電池残量が前記第１の電力量以上である場合、前記画像データを前記表示機器へ前記映像データ伝送部を用いて映像データとして伝送するように決定し、
前記電池残量が前記第２の電力量以上で、かつ前記第１の電力量未満である場合、前記画像データを前記表示機器へ前記ファイルデータ伝送部を用いてファイルデータとして伝送するように決定し、
前記電池残量が前記第２の電力量未満の場合、前記画像データの伝送を行わないと決定することを特徴とする請求項１記載の画像再生装置。
【請求項３】
前記算出手段は、再生対象の画像数と画像の再生間隔を示す情報とを用いて、前記第１の電力量及び前記第２の電力量を算出することを特徴とする請求項１記載の画像再生装置。 
【請求項４】
前記画像再生装置から伝送された画像データが前記表示機器で表示再生中、画像データの表示を制御する操作の指示を受ける指示入力手段を有し、
前記指示入力手段で画像データの表示を制御する操作の指示を受けた後、前記算出手段が第１の電力量及び第２の電力量を夫々再算出し、前記取得手段が前記電池の残量を再取得し、前記比較手段が再算出された第１の電力量及び前記第２の電力量と再取得された電池残量とを再度比較して大小関係を求め、前記決定手段は求められた大小関係を用いて、前記指示入力後に表示機器に伝送する画像データを前記表示機器へ映像データとして伝送するか、ファイルデータとして伝送するかを決定することを特徴とする請求項１記載の画像再生装置。
【請求項５】
表示機器に対して、映像データの伝送が可能な映像データ伝送部及びファイルデータの伝送が可能なファイルデータ伝送部とを備え、電池で駆動される画像再生装置の制御方法であって、
記憶部に格納された画像データを、前記表示機器へ映像データとして伝送するのに必要な第１の電力量と、前記表示機器へファイルデータとして伝送するのに必要な第２の電力量とを夫々算出する算出ステップと、
前記電池の残量を取得する取得ステップと、
前記取得ステップで取得した電池残量と、前記算出ステップで算出された前記第１の電力量及び前記第２の電力量とを比較する比較ステップと、
前記比較ステップでの比較により求められた、前記電池残量、前記第１の電力量、前記第２の電力量の大小関係を用いて、前記画像データを前記表示機器へ映像データとして伝送するか、ファイルデータとして伝送するかを決定する決定ステップと、
を備えることを特徴とする画像再生装置の制御方法。
【請求項６】
前記決定ステップでは、前記比較ステップによる比較結果において前記電池残量が前記第１の電力量以上である場合、前記画像データを前記表示機器へ前記映像データ伝送部を
用いて映像データとして伝送するように決定し、
前記電池残量が前記第２の電力量以上で、かつ前記第１の電力量未満である場合、前記画像データを前記表示機器へ前記ファイルデータ伝送部を用いてファイルデータとして伝送するように決定し、
前記電池残量が前記第２の電力量未満の場合、前記画像データの伝送を行わないと決定することを特徴とする請求項５記載の画像再生装置の制御方法。
【請求項７】
前記算出ステップでは、再生対象の画像数と画像の再生間隔を示す情報とを用いて、前記第１の電力量及び前記第２の電力量を算出することを特徴とする請求項５記載の画像再生装置の制御方法。
【請求項８】
前記画像再生装置から伝送された画像データが前記表示機器で表示再生中、画像データの表示を制御する操作の指示を受ける指示入力ステップを有し、
前記指示入力ステップで画像データの表示を制御する操作の指示を受けた後、前記算出ステップでは第１の電力量及び第２の電力量を夫々再算出し、前記取得ステップでは前記電池の残量を再取得し、前記比較ステップでは再算出された第１の電力量及び前記第２の電力量と再取得された電池残量とを再度比較して大小関係を求め、前記決定ステップでは求められた大小関係を用いて、前記指示入力後に表示機器に伝送する画像データを前記表示機器へ映像データとして伝送するか、ファイルデータとして伝送するかを決定することを特徴とする請求項５記載の画像再生装置の制御方法。
【手続補正２】
【補正対象書類名】明細書
【補正対象項目名】０００７
【補正方法】変更
【補正の内容】
【０００７】
上記目的を達成するために、請求項１記載の画像再生装置は、表示機器に対して、映像データの伝送が可能な映像データ伝送部及びファイルデータの伝送が可能なファイルデータ伝送部とを備え、電池で駆動される画像再生装置において、記憶部に格納された画像データを、前記表示機器へ映像データとして伝送するのに必要な第１の電力量と、前記表示機器へファイルデータとして伝送するのに必要な第２の電力量とを夫々算出する算出手段と、前記電池の残量を取得する取得手段と、前記取得手段で取得した電池残量と、前記算出手段で算出された前記第１の電力量及び前記第２の電力量とを比較する比較手段と、前記比較手段の比較により求められた、前記電池残量、前記第１の電力量、前記第２の電力量の大小関係を用いて、前記画像データを前記表示機器へ映像データとして伝送するか、ファイルデータとして伝送するかを決定する決定手段とを備えることを特徴とする。
【手続補正３】
【補正対象書類名】明細書
【補正対象項目名】０００８
【補正方法】変更
【補正の内容】
【０００８】
請求項５記載の画像再生装置の制御方法は、表示機器に対して、映像データの伝送が可能な映像データ伝送部及びファイルデータの伝送が可能なファイルデータ伝送部とを備え、電池で駆動される画像再生装置の制御方法であって、記憶部に格納された画像データを、前記表示機器へ映像データとして伝送するのに必要な第１の電力量と、前記表示機器へファイルデータとして伝送するのに必要な第２の電力量とを夫々算出する算出ステップと、前記電池の残量を取得する取得ステップと、前記取得ステップで取得した電池残量と、
前記算出ステップで算出された前記第１の電力量及び前記第２の電力量とを比較する比較ステップと、前記比較ステップでの比較により求められた、前記電池残量、前記第１の電力量、前記第２の電力量の大小関係を用いて、前記画像データを前記表示機器へ映像データとして伝送するか、ファイルデータとして伝送するかを決定する決定ステップとを備えることを特徴とする。
【手続補正４】
【補正対象書類名】明細書
【補正対象項目名】００４４
【補正方法】変更
【補正の内容】
【００４４】
ステップＳ２０９において、ステップＳ２０８でデコードされた画像データが、表示部１１２に表示される。